(57)【要約】【課題】低温環境下におかれた場合等でも視認性の悪化を抑制でき、しかも、構成を簡素化して製造コストを抑制できる液晶表示装置を提供する。【解決手段】液晶表示部１と、前記液晶表示部１の周囲温度を検知する温度検知部３と、前記液晶表示部１の表示を更新させる制御部４とを備えた液晶表示装置であって、所定温度よりも低い低温領域を複数の温度範囲で区分すると共に、低温側ほど長くなるよう、区分毎に前記液晶表示部の表示の更新時間を設定し、前記制御部４は、前記温度検知部３による検知温度が属する区分に対応した更新時間に基づいて前記液晶表示部の表示を更新させる。【選択図】図３
2012208368.tif 000002
【特許請求の範囲】
【請求項１】
液晶表示部と、
前記液晶表示部の周囲温度を検知する温度検知部と、
前記液晶表示部の表示を更新させる制御部とを備えた液晶表示装置であって、
所定温度よりも低い低温領域を複数の温度範囲で区分すると共に、低温側ほど長くなるよう、区分毎に前記液晶表示部の表示の更新時間を設定し、
前記制御部は、前記温度検知部による検知温度が属する区分に対応した更新時間に基づいて前記液晶表示部の表示を更新させることを特徴とする液晶表示装置。
【請求項２】
前記低温領域における前記液晶表示部の表示の更新時間は、各区分での温度範囲の幅に対する更新時間の変化率が低温側ほど大きくなるよう設定されることを特徴とする請求項１に記載の液晶表示装置。
【請求項３】
前記区分は、温度範囲の幅が低温側ほど狭くなっていることを特徴とする請求項１または２に記載の液晶表示装置。
【発明の詳細な説明】
【技術分野】
【０００１】
本発明は、液晶表示部を備えた液晶表示装置に関する。
【背景技術】
【０００２】
現在、様々な分野で液晶表示装置が用いられている。この種の液晶表示装置では、液晶表示部の表示を別の内容に更新する（数字を変えるなど）際において、液晶表示部が制御部から表示更新の指令を受けた後、表示を完了する（以下、「表示完了」と記載する）までの時間（表示応答時間）が、液晶表示装置が低温環境下におかれる等して液晶表示部が低温になった場合、長くなるという特性がある。これは、液晶表示部における液晶の反応が鈍くなることによって起こる。
【０００３】
前記のように表示応答時間が長くなると、制御部が表示更新を指令しても、当該指令から表示完了までのタイムラグが大きくなる。一方、制御部は表示更新の指令を一定時間毎に発するものとされている。従って、前記タイムラグが前記一定時間よりも大きくなると、液晶表示部が一つの表示更新の指令を受けてから表示完了するまでの間に、制御部から次の指令を受けることになり、その結果、液晶表示部には、複数の前記指令に対応した、異なる表示が何重にも重なって出てしまうことがあり得る。
【０００４】
例えば、制御部が表示更新の指令を行う間隔（更新時間）が０．３秒であり、表示応答時間が１秒である場合には、最初の指令に対応した表示が表示完了するまでの間（１秒間）に、制御部は３回の指令（具体的には、最初の指令から０．３秒後、０．６秒後、０．９秒後）を発することになり、その結果、前記複数の指令に応じて、液晶表示部の表示が少なくとも４重に重なって出てしまうことになる。
【０００５】
このように、液晶表示部の表示が何重にも重なって出てしまうと、液晶表示部を見る者が表示された内容を読み取ることに困難をおぼえる（つまり、視認性が悪化する）。そのため、表示装置として使い物にならなくなってしまう。
【０００６】
前記低温による問題に対応するため、液晶表示装置にヒーターを設けることがある。このヒーターで液晶表示装置（特に液晶表示部）を加温することにより、液晶表示装置が低温環境下におかれた場合等でも液晶表示部が低温になることを抑制できて、表示応答時間が更新時間よりも長くなり過ぎることを抑制できる。そして、その結果、液晶表示部の表示が何重にも重なって出てしまうことを抑制し得る。
【発明の概要】
【発明が解決しようとする課題】
【０００７】
ところが、このように液晶表示装置にヒーターを設けることで、液晶表示装置の構成が複雑になり、製造コストが上昇してしまう。しかしながら、ヒーターを設けないと、液晶表示装置が低温環境下におかれた場合等の視認性の悪化が避けられない。
【０００８】
そこで本発明は、低温環境下におかれた場合等でも視認性の悪化を抑制でき、しかも、構成を簡素化して製造コストを抑制できる液晶表示装置を提供することを課題とする。
【０００９】
なお、本願出願人は、出願時において前記課題に関する先行技術文献情報を持ち合わせていない。
【課題を解決するための手段】
【００１０】
本発明は、所定温度よりも低い低温領域で、液晶表示部の視認性が特に悪くなることに発明者が着目したことによりなされたものである。
【００１１】
即ち、本発明の液晶表示装置は、液晶表示部と、前記液晶表示部の周囲温度を検知する温度検知部と、前記液晶表示部の表示を更新させる制御部とを備えた液晶表示装置であって、所定温度よりも低い低温領域を複数の温度範囲で区分すると共に、低温側ほど長くなるよう、区分毎に前記液晶表示部の表示の更新時間を設定し、前記制御部は、前記温度検知部による検知温度が属する区分に対応した更新時間に基づいて前記液晶表示部の表示を更新させることを特徴とする。
【００１２】
前記構成によると、所定温度よりも低い低温領域を複数の温度範囲で区分すると共に、低温側ほど長くなるよう、区分毎に液晶表示部の表示の更新時間を設定し、制御部が、温度検知部による検知温度が属する区分に対応した更新時間に基づいて前記液晶表示部の表示を更新させることにより、低温領域にて、従来のように更新時間が一定であるものよりも、更新時間を液晶表示部の表示応答時間に近づけることが可能である。そのため、従来のように、液晶表示部が制御部から一つの表示更新の指令を受けた後、表示完了するまでの間に、制御部から次の指令を受けるようなことを無くすあるいは抑制することができ、ヒーターを設ける必要がなくなる。
【００１３】
なお、前記「所定温度」とは、具体的には、液晶表示部の視認性が悪化する境界温度（視認境界温度）あるいはその近傍の温度を指す。
【００１４】
そして、前記低温領域における前記液晶表示部の表示の更新時間は、各区分での温度範囲の幅に対する更新時間の変化率が低温側ほど大きくなるよう設定されることが好ましい。
【００１５】
前記好ましい構成によると、変化率が低温側ほど大きいことにより、表示応答時間の特性に合わせるように、更新時間を液晶表示部の表示応答時間に近づけることが可能である。
【００１６】
そして、前記区分は、温度範囲の幅が低温側ほど狭くなっていることが好ましい。
【００１７】
前記好ましい構成によると、温度範囲の幅が低温側ほど狭くなっていることにより、低温側ほど小刻みに更新時間を変化させることができるため、表示応答時間の特性に合わせるように、更新時間を液晶表示部の表示応答時間に近づけることが可能である。
【発明の効果】
【００１８】
本発明は、液晶表示部が制御部から一つの表示更新の指令を受けた後、表示完了するまでの間に、制御部から次の指令を受けるようなことを無くすあるいは抑制することができることから、低温環境下におかれた場合等でも視認性の悪化を抑制できる。しかも、ヒーターを設ける必要がないことから、構成を簡素化して製造コストを抑制できる。
【図面の簡単な説明】
【００１９】
【図１】（Ａ）は第１実施形態の液晶表示装置の外観図であり、（Ｂ）（Ｃ）は同液晶表示装置における液晶表示の一例を示す図である。
【図２】第１実施形態の液晶表示装置のうち、液晶表示部とその周囲部分を示す外観図である。
【図３】第１実施形態の液晶表示装置のブロック図である。
【図４】第１実施形態の液晶表示装置の更新時間テーブルにおける、温度範囲の区分と更新時間の一例を示す。
【図５】第１実施形態の検知温度と更新時間の関係を示すグラフである。
【図６】第１実施形態の液晶表示装置のフロー図である。
【図７】第２実施形態の検知温度と更新時間の関係を示すグラフである。
【図８】第３実施形態の検知温度と更新時間の関係を示すグラフである。
【発明を実施するための形態】
【００２０】
本発明につき、以下に三つの実施形態を取り上げて説明を行う。
【００２１】
−第１実施形態−
本実施形態の液晶表示装置は、例えば車両、より具体的には、フォークリフトなどの産業用車両の運転席に取り付けられるもので、速度、走行距離、荷重重量、冷却水水温、燃料残量、エラー表示、現在時刻等の種々の情報を表示するために用いられる。この液晶表示装置は、図１（Ａ）に示すような外観でユニット化されており、前記種々の情報を表示する部分である表示パネル１１を有する液晶表示部１と、複数の選択ボタンからなる選択ボタン部２とを備えている。図１（Ｂ）（Ｃ）は表示パネル１１の表示の一例を示したものであり、図１（Ｂ）では表示パネル１１の中央部分である表示エリアＡ部１１ａに速度が表示された状態を示し、図１（Ｃ）では表示エリアＡ部１１ａに、持ち上げる荷重重量が表示された状態を示している。選択ボタン部２は、表示を切り替えるために操作されるものである。図１（Ｂ）（Ｃ）に示した破線部は表示エリアＥ部１１ｅであり、ここにはエラーコードの表示がなされる。
【００２２】
液晶表示部１は、液晶により前記種々の情報を画像として表示することのできる表示パネル１１を備えている。図示はしていないが、表示パネル１１の裏側にはバックライトが設けられており、夜間など、周囲が暗い場合に点灯して表示パネル１１の視認性を向上させる。なお、表示パネル１１をタッチパネルとし、選択ボタン部２を兼ねるものとしても良い。
【００２３】
そして、本実施形態の液晶表示装置は、図２に示すように、前記液晶表示部１の周囲温度を検知して検知温度Ｄを検出する温度検知部３を備えている。本実施形態ではサーミスタが用いられており、表示パネル１１の周囲に設けられている。
【００２４】
次に、制御に関する構成について説明する。本実施形態の液晶表示装置は、所定温度（後述）よりも低い低温領域を複数の温度範囲で区分すると共に、低温側ほど長くなるよう、区分毎に液晶表示部１における表示パネル１１の表示の更新時間を設定し、温度検知部３による検知温度Ｄが属する区分に対応した更新時間Ｉｎに基づいて前記液晶表示部の表示を更新させるように制御される。
【００２５】
そのため、本実施形態の液晶表示装置は、ブロック図である図３に示すように、検知温度Ｄに応じた時間間隔である更新時間Ｉｎで液晶表示部１の表示を更新する制御部４と、検知温度Ｄと更新時間Ｉｎとの関係が定められた更新時間テーブル（後述）を格納した参照部５を備えている。
【００２６】
制御部４は、液晶表示部１、選択ボタン部２、温度検知部３の各々に接続されており、表示パネル１１の表示を更新させる働きをする。この制御部４は、検知温度Ｄがあらかじめ定められた温度であるテーブル参照温度（本実施形態では１０℃）を超える場合には一定時間（本実施形態では０．３秒）毎に表示を更新し、検知温度Ｄがテーブル参照温度以下の場合には、参照部５に格納された更新時間テーブルを参照し、検知温度Ｄに応じた更新時間Ｉｎで表示を更新する。
【００２７】
更新時間テーブルは、図４に示すように、テーブル参照温度よりも低い低温領域を複数の温度範囲で区分し、当該区分に更新時間Ｉｎを対応させたものである。温度範囲は検知温度Ｄを基に区分される。この更新時間テーブルでは、低温側ほど更新時間Ｉｎが長くなるよう、温度範囲の区分毎に更新時間Ｉｎが設定されている。
【００２８】
この更新時間テーブルについては、表示の種類によって、例えば速度の表示のように、更新時間Ｉｎを短くした方がいいものと、例えばエラー表示のように更新時間Ｉｎが長くても支障ないものとがあるため、各表示毎に異なる種類の更新時間テーブル（複数）が参照部５に格納されている。
【００２９】
なお、前記のように更新時間テーブルを用いる場合とは別に、制御部４での数式演算により更新時間Ｉｎを算出することも可能性としては考えられるが、本実施形態のように更新時間テーブルを用いた方が、更新時間Ｉｎを得るための制御部４の負荷が小さくなるというメリットがあるため望ましい。
【００３０】
また、更新時間テーブルは、検知温度Ｄについての温度範囲の一つに一つの更新時間Ｉｎが対応するように（つまり、ある温度範囲で更新時間Ｉｎが一定となっており、更新時間Ｉｎの変化をグラフ化すると、図５に示すように階段状となる）設定されているが、温度範囲の一つにつきある一定の変化をする更新時間Ｉｎが対応するように（つまり、更新時間Ｉｎの変化を図５に示す要領でグラフ化したとすると、傾斜した直線あるいは曲線となる）設定されていても良い。
【００３１】
次に、本実施形態の速度表示における、検知温度Ｄに応じた更新時間Ｉｎの関係を、表示パネル１１の表示応答時間の特性カーブと共に図５に示す。この関係は、図４に示した更新時間テーブルに係るものに対応している。そして、図５に示した特性カーブは、ある温度で、液晶が非表示状態から表示状態へと変化するのに要する時間を示している。
【００３２】
なお、前記とは逆に、ある温度で、液晶が表示状態から非表示状態へと変化するのに要する時間を示す特性カーブも存在する。更新時間テーブルの検知温度Ｄと更新時間Ｉｎとの関係を定めるに当たって、本実施形態では液晶が非表示状態から表示状態へと変化する場合の特性カーブを基準としているが、表示状態から非表示状態へと変化する場合の特性カーブを基準としても良いし、両特性カーブを平均して得たカーブを基準としても良い。
【００３３】
本実施形態では、検知温度Ｄが０℃を超える場合、制御部４が表示エリアＡ部１１ａの表示を更新する更新時間Ｉｎは０．３秒とされている。この更新時間Ｉｎ０．３秒の設定は、本実施形態においては、検知温度Ｄが１０℃を超えている場合は制御部４により更新時間固定（０．３秒）で設定される。一方、検知温度Ｄがテーブル参照温度である１０℃以下の場合は、参照部５に格納された更新時間テーブルを参照して更新時間Ｉｎが設定される。具体的には、検知温度Ｄが０℃を超え１０℃以下の場合は、制御部４が参照部５の更新時間テーブル（図４参照）を参照して更新時間Ｉｎが０．３秒とされる。そして、−１０℃を超え０℃以下の場合は、同じく更新テーブルによって更新時間Ｉｎが１秒とされる。
【００３４】
そして本実施形態では、所定温度（−１０℃）を基準として、検知温度Ｄが高温側にある高温領域よりも低温側にある低温領域の方が小刻みに更新時間Ｉｎを変化させるものとしている。低温領域では、当該領域が区分された複数の温度範囲の各々に対応した更新時間毎に、前記液晶表示部の表示を更新させる。
【００３５】
ここで、前記の「所定温度」とは、視認境界温度近傍の温度である。そして、「視認境界温度」とは、一定の更新時間で表示を変化させた場合に、液晶表示部１の表示が何重にも重なることにより視認性が悪化してしまう境界の温度、言い換えると、液晶表示部１の表示が車両の運転者等により視認しにくくなる温度のことである。本実施形態では、この視認境界温度を下記のようにして定めた。
【００３６】
まず、液晶表示装置の表示（具体的には、図１（Ｂ）の中央部分に示された速度の表示）であり、更新時間０．３秒（固定）で表示を変化させたものをビデオカメラで撮影し、サンプル動画を作成した。前記撮影は、液晶表示装置の周囲温度を−３０℃〜８０℃の間で５℃毎に行った。そして、モニター６人がディスプレイに再生させたサンプル動画を見、モニターの半数（３人）以上が見えにくいと感じた温度を視認境界温度と定めた。本実施形態では、表１に示すように、０℃で２人が見えにくいと感じ、−５℃で３人が見えにくいと感じた。よって、視認境界温度を−５℃と定めた。
【００３７】
【表１】
2012208368.tif 000003
【００３８】
本実施形態では、検知温度Ｄが前記視認境界温度（−５℃）の近傍であって、さらに５℃低い−１０℃を前記の「所定温度」とし、この所定温度を基準として、検知温度Ｄが高温側にある高温領域よりも低温側にある低温領域の方が温度刻みを小刻みとして更新時間Ｉｎを変化させるものとしている。
【００３９】
前記の「温度刻みが小刻み」であるとは、各々の更新時間Ｉｎに対応する温度範囲における下限温度と上限温度との温度差（ΔＤ）に関し、前記の高温領域にある温度範囲よりも低温領域にある温度範囲の方を小さくしたことを指す。図５に示した検知温度Ｄと更新時間Ｉｎとの関係に当てはめると、０℃以上の温度範囲では、上限温度が定められていないため温度差は無限大となり、−１０℃〜０℃の温度範囲では温度差ΔＤ１は１０℃となる。そして、−１０℃以下の温度範囲では温度差ΔＤ２が（最小で）１℃となる。よって、所定温度（−１０℃）を基準として、高温領域にある温度範囲（温度差１０℃あるいは無限大）よりも低温領域にある温度範囲（温度差（最小）１℃）の方が小さくなっている。つまり、図５のグラフ上に示した階段状の線における階段各段の幅について言うと、高温領域よりも低温領域の方が幅が狭くなる。
【００４０】
そして、検知温度Ｄが−１０℃以下の低温領域では、一定の温度刻み（本実施形態では２℃刻み）で表示パネル１１の表示応答時間の特性カーブに近づけるように、検知温度Ｄが低いほど、その検知温度Ｄが属する区分に対応する更新時間Ｉｎが順次長くなるように設定されている。本実施形態（第１実施形態）では、前記低温領域における表示パネル１１の表示の更新を、低温領域が区分された複数の温度範囲に対応した一定の更新時間Ｉｎ毎に行うものとしている。なお、本実施形態では、温度差ΔＤを最小１℃刻みまで設定できるものとされている。
【００４１】
本実施形態では、図５に示すように、検知温度Ｄと更新時間Ｉｎとの関係を示す図示階段状の線が、表示パネル１１の表示応答時間の特性カーブ（図示曲線状）を跨ぐように、更新時間Ｉｎが設定されている。つまり、検知温度Ｄと更新時間Ｉｎとの関係が、ある温度範囲では更新時間Ｉｎが一定となっており、この一定とされた更新時間Ｉｎが、前記特性カーブよりも高温側では表示応答時間より長く、低温側では表示応答時間より短いものとされている。この関係から理解できるように、本実施形態では、更新時間Ｉｎを表示応答時間の近傍に設定できるため、従来のように液晶表示部１の表示が何重にも重なって出てしまうことがなく、液晶表示部１の視認性を従来よりも向上できる。
【００４２】
本実施形態では、このように、検知温度Ｄが所定温度（−１０℃）以下では、更新時間Ｉｎを表示パネル１１の表示応答時間の特性カーブに対して近づけることができ得るため、周囲が低温でも、表示パネル１１の表示応答時間に比べて更新時間Ｉｎが大きく離れることなく、表示応答時間の近傍で表示の切り替わりをさせることができる。そのため、表示パネル１１の表示が何重にも重なってしまうことを避けることができ、表示装置として使い物にならなくなってしまうほどの視認性の悪化を防止し、表示を可能な限り見やすくできる。特に、検知温度Ｄが−１０℃以下では、図５から明らかなように、表示パネル１１の表示応答時間の特性カーブの傾斜が急になるため、このように温度差ΔＤを小さくすることが、表示を見やすくするために有効である。
【００４３】
そして、低温領域における更新時間Ｉｎの設定は、各区分での温度範囲の幅（本実施形態では、図５のグラフ上に示した階段状の線における階段各段の幅に相当する）に対する更新時間Ｉｎ（同じく、階段各段の高さに相当する）の変化率（つまり、前記高さを幅で割った値である）を、低温側ほど大きくした場合、低温領域にて表示パネル１１の表示応答時間の特性カーブの傾斜が急になるところでも、更新時間Ｉｎを表示応答時間に近づけることが可能であるため好ましい。変化率を大きくするには、各区分での温度範囲の幅を小さくする、または、更新時間Ｉｎの変化を大きくする、または、前記両方を行う。
【００４４】
次に、制御部４による液晶表示部１の表示の更新につき、図６に示すフローに従って説明する。以下の説明は、液晶表示部１において表示の更新がなされる表示エリアＡ部１１ａ（速度及び荷重を表示）及び表示エリアＥ部１１ｅ（エラーコードを表示）に関するものである。
【００４５】
車両のエンジン始動等に伴い、液晶表示装置の電源が投入されると、まず、制御部４は初期化を行う（ステップＳ１）。
【００４６】
次に、表示エリアＡ部１１ａに関し、車両の運転者により選択ボタン部２が押され、これに応じて制御部４は、表示エリアＡ部１１ａの表示を速度の表示と荷重の表示とで切り替える（ステップＳ２，Ｓ３１，Ｓ３２）。なお、選択ボタン部２が押されなかった場合には、速度の表示がなされる。また、表示エリアＥ部１１ｅに関しては、このような選択はなされない（ステップＳ３３）。
【００４７】
次に、速度表示に関して説明する。温度検知部３により検知温度Ｄを検出する（ステップＳ４１）。そして、検出された検知温度Ｄが１０℃以下であるか否かを判定する（ステップＳ５１）。検知温度Ｄが１０℃を超えている場合は、更新時間Ｉｎを一定として（本実施形態では０．３秒）表示エリアＡ部１１ａの表示を行う（ステップＳ８１）。
【００４８】
一方、検知温度Ｄが１０℃以下の場合は、制御部４が参照部５に格納された速度表示についての更新時間テーブルを参照して（ステップＳ６１）、検知温度Ｄに応じた更新時間Ｉｎで表示を更新し（ステップＳ７１）、表示エリアＡ部１１ａの表示を行う（ステップＳ８１）。前記の各ステップＳ４１〜Ｓ８１が前記更新時間Ｉｎ毎に繰り返される。なお、前記の繰り返しは、表示内容が変化しない場合（同内容の表示が継続される場合）でもなされる。
【００４９】
ここで、本実施形態では、前記のように、検知温度Ｄが１０℃を超えている場合は、参照部５に格納された更新時間テーブルを参照せずに一定の更新時間Ｉｎで表示エリアＡ部１１ａの表示を行うものとしているが、これに限られず、全温度域で更新時間テーブルを参照するものとしても良い。
【００５０】
荷重表示に関しても、フローは前記速度表示と同様である。温度検知部３により検知温度Ｄを検出する（ステップＳ４２）。そして、検出された検知温度Ｄが１０℃以下であるか否かを判定する（ステップＳ５２）。検知温度Ｄが１０℃を超えている場合は、更新時間Ｉｎを一定として（本実施形態では１秒）表示エリアＡ部１１ａの表示を行う（ステップＳ８２）。
【００５１】
一方、検知温度Ｄが１０℃以下の場合は、制御部４が参照部５に格納された荷重表示についての更新時間テーブルを参照して（ステップＳ６２）、検知温度Ｄに応じた更新時間Ｉｎで表示を更新し（ステップＳ７２）、表示エリアＡ部１１ａの表示を行う（ステップＳ８２）。前記の各ステップＳ４２〜Ｓ８２が前記更新時間Ｉｎ毎に繰り返される。
【００５２】
エラーコード表示に関しても、フローは前記二つの表示と同様である。温度検知部３により検知温度Ｄを検出する（ステップＳ４３）。そして、検出された検知温度Ｄが１０℃以下であるか否かを判定する（ステップＳ５３）。検知温度Ｄが１０℃を超えている場合は、更新時間Ｉｎを一定として（本実施形態では２秒）表示エリアＥ部１１ｅの表示を行う（ステップＳ８３）。
【００５３】
一方、検知温度Ｄが１０℃以下の場合は、制御部４が参照部５に格納された荷重表示についての更新時間テーブルを参照して（ステップＳ６３）、検知温度Ｄに応じた更新時間Ｉｎで表示を更新し（ステップＳ７３）、表示エリアＡ部１１ａの表示を行う（ステップＳ８３）。前記の各ステップＳ４３〜Ｓ８３が前記更新時間Ｉｎ毎に繰り返される。
【００５４】
−第２実施形態−
次に、第２実施形態について説明する。なお、以下では前記第１実施形態との相違点についてのみ説明する（第３実施形態についても同じ）。
【００５５】
第２実施形態は、図７に示すように、第１実施形態のものに加えて、高温領域でも更新時間Ｉｎを変化させる。図示したものでは、検知温度Ｄが高温になるに伴い、一度、更新時間Ｉｎを短くして、表示パネル１１の表示応答時間の特性カーブに近づけるようにする。その後、更新時間Ｉｎを段階的に長くし、最終的には一定とする。この高温領域における更新時間Ｉｎの変化についても、制御部４が参照部５に格納された更新時間テーブルを参照することにより行う。
【００５６】
図示した表示パネル１１の表示応答時間の特性カーブから理解できるように、表示応答時間は、検知温度Ｄが高温になるに伴い短くなる。よって、この実施形態のように、高温領域で更新時間Ｉｎを多少長目に設定しても、表示が見にくくなることはない。しかも、更新時間Ｉｎが長い方が制御部４にかかる負荷（より具体的には制御部４におけるＣＰＵ負荷）を小さくできるため、本実施形態は、高温領域で消費電力を小さくできるという利点がある。
【００５７】
−第３実施形態−
第３実施形態は、図８に示すように、前記の温度差ΔＤを、検知温度Ｄが−１０℃以下の場合に、検知温度Ｄがより低い場合をより小さくしたものである。つまり、低温領域を複数の温度範囲で区分し、その区分が、温度範囲の幅が低温側ほど狭いものとされている。
【００５８】
図示のものでは、検知温度Ｄの高温側からΔＤ３＞ΔＤ４＞ΔＤ５となっており、低温側に向かうにつれ温度差ΔＤがより小さくなっていく。図示した表示パネル１１の表示応答時間の特性カーブから理解できるように、この表示応答時間は、検知温度Ｄが低温になるに伴いより長くなる。よって、この実施形態のように、温度差を、低温になるに伴い小さくすることにより、表示応答時間の特性カーブに対してより近づけることができる。
【００５９】
以上、本発明につき三つの実施形態を取り上げて説明してきたが、本発明に係る液晶表示装置の具体的構成については、前記の各実施形態に限られるものではなく、本発明の主旨を逸脱しない範囲で種々の変形が可能である。
【符号の説明】
【００６０】
１          液晶表示部
３          温度検知部
４          制御部
Ｄ          検知温度
Ｉｎ        更新時間
ΔＤ        温度差
【図１】
2012208368.tif 000004
【図２】
2012208368.tif 000005
【図３】
2012208368.tif 000006
【図４】
2012208368.tif 000007
【図５】
2012208368.tif 000008
【図６】
2012208368.tif 000009
【図７】
2012208368.tif 000010
【図８】
2012208368.tif 000011